(57)【要約】【課題】空気調和機において、簡単な構成で、部屋の隅々まで空調した空気を到達させて室内住居環境の快適性を向上させること。【解決手段】空気調和機は、吸込み口及び吹出し口を有する筐体と、筐体内に配置され、室内空気を吸込み口から吸い込み吹出し口から吹出す送風機６と、吹出し口に配置され、吹出し口から吹出す風向を変化させる風向ルーバー９と、送風機６を制御する制御装置１０とを備える。制御装置１０は、風向ルーバー９の通風抵抗が小さい角度から大きい角度に変化するに従って、送風機６の回転速度が速くなるように制御する。【選択図】図４
2008101844.tif 000002
【特許請求の範囲】
【請求項１】
吸込み口及び吹出し口を有する筐体と、前記筐体内に配置され、室内空気を前記吸込み口から吸い込み前記吹出し口から吹出す送風機と、前記吹出し口に配置され、前記吹出し口から吹出す風向を変化させる風向ルーバーと、前記送風機を制御する制御装置と、を備えた空気調和機において、
前記制御装置は、前記風向ルーバーの通風抵抗が小さい角度から大きい角度に変化するに従って、前記送風機の回転速度が速くなるように制御する
ことを特徴とする空気調和機。
【請求項２】
請求項１において、前記風向ルーバーを駆動してその角度を変化させるルーバー駆動部を備え、前記制御装置は、前記ルーバー駆動部に前記風向ルーバーの角度を変化させる指令を出力すると共に、前記指令に基づいて前記送風機の回転速度を制御することを特徴とする空気調和機。
【請求項３】
請求項１において、前記風向ルーバーの回動位置を検出するルーバー位置検知器を備え、前記制御装置は前記ルーバー位置検知器で検出した回動位置に基づいて前記送風機の回転速度を制御することを特徴とする空気調和機。
【請求項４】
請求項１において、前記風向ルーバーは左右方向の風向を変化させる左右風向ルーバーを備え、前記制御装置は、前記左右風向ルーバーの通風抵抗の最も少ない位置を基準として、その左右風向ルーバーの通風抵抗が大きくなるに従って前記送風機の回転速度が速くなるように制御することを特徴とする空気調和機。
【発明の詳細な説明】
【技術分野】
【０００１】
本発明は、空気調和機に係り、特に室内ユニットに空気吹出方向を変化させる風向ルーバーを備えた空気調和機に好適なものである。
【背景技術】
【０００２】
従来の空気調和機として、左右方向に正確に吹出気流を制御して、正確に狙った地点へ気流を到達させることができるようにすることを目的とした特開平８−１３６０４２号公報（特許文献１）に示されたものが案出されている。
【０００３】
この空気調和機は、空気調和機本体内に形成された風路の下端に吹出ノズルを設け、この吹出ノズルに複数個並列枢持されたガイドベーンにより上記風路を通った吹出し風を左右方向へ案内して吹出し口から吹出させると共に、上記吹出ノズル左右壁の曲面に沿ってガイドベーンがせりだして前方へ動くようにしたものである。
【０００４】
【特許文献１】特開平８−１３６０４２号公報
【発明の開示】
【発明が解決しようとする課題】
【０００５】
しかしながら、特許文献１の空気調和機では、吹出ノズル左右壁の曲面に沿ってガイドベーンがせりだして前方へ動くようにした複雑な構造であり、ガイドベーンの設置上の制約が多く自由な配置が困難となり、吹出し口の大型化を招く、という問題があった。
【０００６】
また、ガイドベーンのせりだしのみで大きな部屋の隅々まで空調した空気を到達させることは難しく、特に近年では、ワイドリビング等の普及により、極めて大きな間取りの居室が増えてきており、空気調和機を居室の中央に取り付ることができない場合や、奥行き方向が長尺である場合などに、部屋の隅々まで空調することは難しく、さらなる改善が望まれる。
【０００７】
本発明の目的は、簡単な構成で、部屋の隅々まで空調した空気を到達させて室内住居環境の快適性を向上させることが可能な空気調和機を提供することにある。
【課題を解決するための手段】
【０００８】
前述の目的を達成するために、本発明は、吸込み口及び吹出し口を有する筐体と、前記筐体内に配置され、室内空気を前記吸込み口から吸い込み前記吹出し口から吹出す送風機と、前記吹出し口に配置され、前記吹出し口から吹出す風向を変化させる風向ルーバーと、前記送風機を制御する制御装置と、を備えた空気調和機において、前記制御装置は、前記風向ルーバーの通風抵抗が小さい角度から大きい角度に変化するに従って、前記送風機の回転速度が速くなるように制御するものである。
【０００９】
係る本発明のより好ましい具体的な構成例は次の通りである。
（１）前記風向ルーバーを駆動してその角度を変化させるルーバー駆動部を備え、前記制御装置は、前記ルーバー駆動部に前記風向ルーバーの角度を変化させる指令を出力すると共に、前記指令に基づいて前記送風機の回転速度を制御すること。
（２）前記風向ルーバーの回動位置を検出するルーバー位置検知器を備え、前記制御装置は前記ルーバー位置検知器で検出した回動位置に基づいて前記送風機の回転速度を制御すること。
（３）前記風向ルーバーは左右方向の風向を変化させる左右風向ルーバーを備え、前記制御装置は、前記左右風向ルーバーの通風抵抗の最も少ない位置を基準として、その左右風向ルーバーの通風抵抗が大きくなるに従って前記送風機の回転速度が速くなるように制御すること。
【発明の効果】
【００１０】
係る本発明の空気調和機によれば、簡単な構成で、部屋の隅々まで空調した空気を到達させて室内住居環境の快適性を向上させることが可能となる。
【発明を実施するための最良の形態】
【００１１】
以下、本発明の複数の実施形態について図を用いて説明する。各実施形態の図における同一符号は同一物または相当物を示す。
（第１実施形態）
本発明の第１実施形態の空気調和機を図１から図４を用いて説明する。図１は本発明の第１実施形態の空気調和機の室内ユニットの縦断面図、図２は図１の空気調和機の要部構成図、図３は図１の空気調和機の制御装置に用いる補正係数設定値を決定するための概念図、図４は図１の空気調和機の制御系の構成図である。
【００１２】
空気調和機の室内ユニット５０は、筐体１、室内熱交換器５、室内送風機６、エアフィルター７、プレフィルター８、風向ルーバー９、制御装置１０及びリモートコントローラ１１を主な構成要素として備えている。
【００１３】
筐体１は、化粧枠２と台枠３とから構成され、上下に吸込み口１ａ、吹出し口１ｂを有している。室内送風機６は筐体１内の中央部に配置され、白抜き矢印で示すように、室内空気を吸込み口１ａから吸込んで吹出し口１ｂから吹出すように動作する。室内熱交換器５は、内部に冷媒を流すパイプ５ａと、多数枚並べてパイプ５ａを貫通させたフィン５ｂとを備えて構成され、室内空気と熱交換するように室内送風機６の吸込み側に配置されている。この室内熱交換器５は室内空気を冷却または加熱するための冷媒が内部を流れる。室内熱交換器５は概略逆Ｖ字状に形成され、室内熱交換器５の前後の両下端部には露受け皿４ａ、４ｂが設置されている。
【００１４】
エアフィルター７及びプレフィルター８は、室内空気の除塵や空気清浄を行うためのものであり、室内熱交換器５の吸込み側に配置されている。空気調和された室内空気は吹出し口１ｂから室内へ吹出される。風向ルーバー９は、吹出し口１ｂから吹出す風向を変化させるものであり、吹出し口１ｂに設置されている。この風向ルーバー９は、上下方向に風向を変化させる上下風向ルーバー９ａと、左右方向に風向を変化させる左右風向ルーバー９ｂとからなっている。
【００１５】
上下風向ルーバー９ａは、吹出し口１ｂに横長に設置され、その左右両端部で回動可能に軸支されている。上下風向ルーバー９ａを回動させてその角度を変化させることにより、吹出し口１ｂから吹出す風向を上下に変化させることができる。
【００１６】
左右風向ルーバー９ｂは、吹出し口１ｂに縦長に設置され、その上下両端部で回動可能に軸支されている。左右風向ルーバー９ｂは、図２に示すように、吹出し口１ｂに多数並置されてルーバー群を構成している。ルーバー群を構成する左右風向ルーバー９ｂは、連結板９ｃにより連結されている。連結板９ｃを左右に移動することにより、左右風向ルーバー９ｂを回動させてその角度を変化させることができ、これによって吹出し口１ｂから吹出す風向を左右に変化させることができる。
【００１７】
このとき、室内送風機６の回転速度を制御装置１０で変化させることなく左右風向ルーバー２２の角度θのみを変化させた時の風量変化は、概ね図３の特性Ａを示す。即ち、送風機２１より作り出される風に平行な左右風向ルーバー２２を基準（角度θ＝０度）とすると、基準角度で風量が最大であり、それより角度θが大きくなるに従って左右風向ルーバー２２による通風抵抗が増大し、急激に風量が低下する。
【００１８】
図４に示すように、制御装置１０は、マイクロコンピューターで構成され、メモリに格納された基準データ表２１及び補正データ表２２と、演算部のプログラムで構成される演算手段２３及び室内送風機回転速度決定手段２４とを備えている。この補正データ表２４は、例えば図３に示す特性Ｂの風量が得られるように室内送風機６の回転速度を補正するための表である。換言すれば、この補正データ表２４は、左右風向ルーバー１８ｂの角度が大きくなり、その通風抵抗が増大するに従って、室内送風機６の回転速度を早くするための表である。なお、特性Ｂは、室内送風機６の駆動力の増大を配慮して、左右風向ルーバー１８ｂの角度の増大に伴って風量が若干低減するようになっている。また、補正データ表２２には、上下風向ルーバー１８ａの補正についても同様に格納されている。
【００１９】
制御装置１０には、赤外線受光部１２、室内空気温度検知部１３、室内熱交換器温度検知部１４、室内送風機回転速度検知部１５、室外ユニットデータ検知部１６、室内送風機駆動部１７、上下風向ルーバー駆動部１８ａ、左右風向ルーバー駆動部１８ｂが接続されている。
【００２０】
赤外線受光部１２は、ユーザーが操作するリモートコントローラ１１からの指令を受信して制御装置１０に入力する。リモートコントローラ１１の指令には、上下風向ルーバー９ａ及び左右風向ルーバー９ｂの角度設定、室内温度の設定、各種の運転設定の指令が含まれる。
【００２１】
室内空気温度検知部１３は筐体１の吸込み口１ａの空気温度を検出し、室内熱交換器温度検知部１４は室内熱交換器５の温度を検出し、室内送風機回転速度検知部１５は室内送風機６の回転速度を検出し、室外ユニットデータ検知部１６は室外ユニットから送られるデータを検出するものであり、これらの検出結果は制御装置１０に入力される。
【００２２】
室内送風機駆動部１７は、インバータモータなどで構成され、制御装置１０の指令によって室内送風機６を駆動する。上下風向ルーバー駆動部１８ａは、ステッピングモータなどで構成され、制御装置１０の指令によって上下風向ルーバー９ａの角度を変化させるように駆動する。左右風向ルーバー駆動部１８ｂは、ステッピングモータなどで構成され、制御装置１０の指令によって左右風向ルーバー９ｂの角度を変化させるように駆動する。
【００２３】
制御装置１０の演算手段２３は、リモートコントローラ１１の運転指令などに基づいて、冷房や暖房などの運転の制御を行う。また、この演算手段２３は、リモートコントローラ１１の角度設定の指令に基づいて、上下風向ルーバー９ａ及び左右風向ルーバー９ｂの角度を変化させる制御指令を上下風向ルーバー駆動部１８ａ及び左右風向ルーバー駆動部１８ｂに出力する。
【００２４】
制御装置１０の室内送風機回転速度決定手段２２は、演算手段２３による上下風向ルーバー９ａ及び左右風向ルーバー９ｂの角度を変化させる制御指令及び補正データ表２４に基づいて、送風機の回転速度を変化させる制御指令を室内送風機駆動部１７に出力する。これによって、上下風向ルーバー１８ａ及び左右風向ルーバー１８ｂの角度に対応して室内送風機６の回転速度を変化させることができる。
【００２５】
なお、補正データ表を演算式に換算し、その演算式を用いて送風機の回転速度を変化させる制御指令を生成するようにしてもよい。
【００２６】
本実施形態によれば、制御装置１０により、上下風向ルーバー９ａ及び左右風向ルーバー９ｂの通風抵抗が小さい角度から大きい角度に変化するに従って、室内送風機６の回転速度が速くなるように制御するので、簡単な構成で、部屋の隅々まで空調した空気を到達させて室内住居環境の快適性を向上させることが可能である。
（第２実施形態）
次に、本発明の第２実施形態の空気調和機について図５を用いて説明する。図５は本発明の第２実施形態の空気調和機の制御系の構成図である。この第２実施形態は、次に述べる点で第１実施形態と相違するものであり、その他の点については第１実施形態と基本的には同一であるので、重複する説明を省略する。
【００２７】
この第２実施形態は、上下風向ルーバー駆動部１８ａ及び左右風向ルーバー駆動部１８ｂを備えておらず、上下風向ルーバー９ａ及び左右風向ルーバー９ｂの角度を手動で変化させる場合を想定したものである。
【００２８】
第２実施形態では、上下風向ルーバー９ａ及び左右風向ルーバー９ｂの回動位置を検出する上下ルーバー位置検知器１９ａ及び左右ルーバー位置検知器１９ｂを備えている。そして、制御装置１０の室内送風機回転速度決定手段２２は、上下ルーバー位置検知器１９ａ及び左右ルーバー位置検知器１９ｂにより検出した上下風向ルーバー９ａ及び左右風向ルーバー９ｂの回動位置及び補正データ表２４に基づいて、送風機の回転速度を変化させる制御指令を室内送風機駆動部１７に出力する。これによって、上下風向ルーバー１８ａ及び左右風向ルーバー１８ｂの角度に対応して室内送風機６の回転速度を変化させることができる。
（その他の実施形態）
上述した各実施形態においては、上下風向ルーバー９ａ及び左右風向ルーバー９ｂの回動による室内送風機６の回転速度の補正を同時に行っているが、どちらか一方の回転速度の補正を行うようにしても、居室の空調に有効である。
【００２９】
また、上述した各実施形態においては、室内外ユニットを有するセパレート型空気調和機を例としているが、一体型等の空気調和機であっても同様に居室側の空気調和が可能である。
【図面の簡単な説明】
【００３０】
【図１】本発明の第１実施形態の空気調和機の室内ユニットの縦断面図である。
【図２】図１の空気調和機の要部構成図である。
【図３】図１の空気調和機の制御装置に用いる補正係数設定値を決定するための概念図である。
【図４】図１の空気調和機の制御系の構成図である。
【図５】本発明の第２実施形態の空気調和機の制御系の構成図である。
【符号の説明】
【００３１】
１…筐体、１ａ…吸込み口、１ｂ…吹出し口、２…化粧枠、３…台枠、４ａ、４ｂ…露受け皿、５…室内熱交換器、５ａ…パイプ、５ｂ…フィン、６…室内送風機、７…エアフィルター、８…プレフィルター、９…風向ルーバー、９ａ…上下風向ルーバー、９ｂ…左右風向ルーバー、９ｃ…連結板、１０…制御装置、１２…赤外線受光部、１３…室内空気温度検知部、１４…室内熱交換器温度検知部、１５…室内送風機回転速度検知部、１６…室外ユニットデータ検知部、１７…室内送風機駆動部、１８ａ…上下風向ルーバー駆動部、１８ｂ…左右風向ルーバー駆動部、２１…基準データ表、２２…補正データ表、２３…演算手段、２４…室内送風機回転速度決定手段。
【図１】
2008101844.tif 000003
【図２】
2008101844.tif 000004
【図３】
2008101844.tif 000005
【図４】
2008101844.tif 000006
【図５】
2008101844.tif 000007